(57)【要約】【課題】無駄な電力を使わずに、省電力化を図ることができる電子装置を提供する。【解決手段】通信カラオケ装置１は、楽音情報を出力するスピーカ４と、楽音情報に関連する歌詞情報を表示するモニター５とを少なくとも備えている。通信カラオケ装置１は、同装置１が使用されているか否かを検知するための識別信号発信装置１４及び使用検知装置１５と、通信カラオケ装置１が使用されていない期間を計測するＣＰＵ８とを備え、ＣＰＵ８は、通信カラオケ装置１のサブ電源１９のオン時に、一定期間未使用状態が継続したことを計測した場合に、サブ電源１９をオフ状態にする。【選択図】図１
2004029628.tif 000002
【特許請求の範囲】
【請求項１】
ユーザが選択した情報を出力する出力手段を少なくとも備えた電子装置において、
前記電子装置が使用されているか否かを検知する使用検知手段と、
前記使用検知手段の検知に基づき、前記電子装置が使用されていない期間を計測する使用期間計測手段と、
前記電子装置の電源のオン時に、前記使用期間計測手段が一定期間未使用状態が継続したことを計測した際に、少なくとも前記使用検知手段用の電源を除いて前記電源をオフ状態にする制御手段とを備えることを特徴とする電子装置。
【請求項２】
請求項１に記載する電子装置において、
前記使用期間計測手段が、計測する未使用状態の期間を変更可能に設定できる未使用期間設定手段を備えたことを特徴とする電子装置。
【請求項３】
請求項１または請求項２に記載する電子装置において、
前記電子装置の使用状況を記憶する使用状況記憶手段を備え、
前記制御手段は、前記使用期間計測手段が一定期間未使用状態が継続したことを計測した場合に、前記使用状況記憶手段に記憶された過去の使用状況履歴から現時刻の使用頻度が高い場合には、前記電源をオフ状態にしないことを特徴とする電子装置。
【請求項４】
請求項１乃至請求項３のいずれか一に記載する電子装置において、
前記電源のオフ時に、前記使用検知手段が電子装置の使用を検知した場合には、前記制御手段は前記電源をオン状態にすることを特徴とする電子装置。
【請求項５】
請求項１乃至請求項４のいずれか一に記載する電子装置において、
前記電子装置は、通信手段を介してホスト装置と接続される通信カラオケ装置であって、
前記制御手段は、前記使用期間計測手段が一定期間未使用状態が継続したことを計測した場合に、少なくとも前記通信手段及び前記使用検知手段用の電源をオフ状態にせずに、その他の電源をオフ状態にすることを特徴とする電子装置。
【請求項６】
ユーザが選択した情報を出力する出力手段を少なくとも備えた電子装置において、
前記電子装置が使用されているか否かを検知する使用検知手段と、
前記電子装置の電源のオフ時に、前記使用検知手段が電子装置の使用を検知した場合には、前記電源をオン状態にする制御手段を備えたことを特徴とする電子装置。
【請求項７】
請求項１または請求項６に記載する電子装置において、
前記使用検知手段は、前記情報を選択するためのリモコンから出力された信号を検出した場合に、電子装置が使用されていると検知することを特徴とする電子装置。
【発明の詳細な説明】
【０００１】
【発明の属する技術分野】
本発明は、ユーザが選択した情報を出力する電子装置に関し、更に詳細には、省電力化を図ることができる電子装置に関するものである。
【０００２】
【従来の技術】
従来より、出力手段の一例として、カラオケ装置等が提案されており、カラオケ装置は、スピーカ等から楽音情報を流すとともに、楽音情報に関連する歌詞情報及び背景画映像を表示するＣＲＴ等の表示装置を備えている。このようなカラオケ装置をカラオケボックス毎に備えたカラオケ店においては、ユーザによるカラオケ曲のリクエストが無い場合には、カラオケ装置は、新譜案内画面やニュース画面をＣＲＴ等で表示したり、ＢＧＭを演奏することで、リクエストが行われるまでの間の穴埋めとしていた。
【０００３】
【発明が解決しようとする課題】
しかしながら、このようなカラオケ店では、利用客がカラオケボックスから退出して、誰もカラオケボックス内にいないにも関わらず、上記の新譜案内画面やニュース画面が表示されＢＧＭが演奏されていることがあるが、これは省エネ、省電力といった面から考えると、とても無駄なことである。
そこで、本発明は、上述した問題点を解決するためになされたものであり、このような無駄な電力を使わずに、省電力化を図ることができる電子装置を提供することを目的としている。
【０００４】
【課題を解決するための手段】
前記目的を達成するため請求項１に係る発明によれば、ユーザが選択した情報を出力する出力手段を少なくとも備えた電子装置において、前記電子装置が使用されているか否かを検知する使用検知手段と、前記使用検知手段の検知に基づき、前記電子装置が使用されていない期間を計測する使用期間計測手段と、前記電子装置の電源のオン時に、前記使用期間計測手段が一定期間未使用状態が継続したことを計測した場合に、少なくとも前記使用検知手段用の電源を除いて前記電源をオフ状態にする制御手段とを備えることを特徴とする。
【０００５】
このような特徴を有する請求項１に係る電子装置によれば、出力手段はユーザが選択した情報を出力する。使用検知手段は、電子装置が使用されているか否かを検知することができ、使用期間計測手段は、電子装置が使用されていない期間を計測することができる。そして、電子装置の電源のオン時に、電子装置の未使用状態が一定期間継続した場合に、制御手段が電源をオフ状態にするので、電子装置の省電力化を図ることができる。
【０００６】
また、請求項２に係る発明によれば、請求項１に記載の電子装置において、前記使用期間計測手段が、計測する未使用状態の期間を変更可能に設定できる未使用期間設定手段を備えたことを特徴とする。
【０００７】
このような特徴を有する請求項２に係る電子装置によれば、未使用期間設定手段は、例えば、分単位とか或いは時間単位で任意に未使用状態の時間を変更できるので、電子装置の使用状況に応じて、電子装置の省電力化を図ることができる。
【０００８】
また、請求項３に係る発明によれば、請求項１または請求項２に記載の電子装置において、前記電子装置の使用状況を記憶する使用状況記憶手段を備え、前記制御手段は、前記使用期間計測手段が一定期間未使用状態が継続したことを計測した際に、前記使用状況記憶手段に記憶された過去の使用状況履歴から現時刻の使用頻度が高い場合には、前記電源をオフ状態にしないことを特徴とする。
【０００９】
このような特徴を有する請求項３に係る電子装置によれば、一定期間未使用状態が継続したことを計測した場合に、制御手段が電源をオフ状態にするが、使用状況記憶手段が電子装置の使用状況を記憶しており、過去の使用状況履歴から現時刻の使用頻度が高い場合には、電源をオフ状態にしないので、電源オフ状態から電源オン状態へ立ち上げる際の待機時間が無くて済み、電子装置の使用の利便性が向上するとともに、省電力化を図ることができる。
【００１０】
また、請求項４に係る発明によれば、請求項１乃至請求項３のいずれか一に記載する電子装置において、前記使用検知手段が電子装置の使用を検知した場合には、前記制御手段は前記電源をオン状態にすることを特徴とする。
【００１１】
このような特徴を有する請求項４に係る電子装置によれば、前記電源がオフ状態にされた場合でも、使用検知手段がユーザの使用を検出した場合には、制御手段が前記電源をオン状態にするので、電源をオン状態にする手間を省くことができる。
【００１２】
また、請求項５に係る発明によれば、請求項１乃至請求項４のいずれか一に記載する電子装置において、前記電子装置は、通信手段を介してホスト装置と接続される通信カラオケ装置であって、前記制御手段は、前記使用期間計測手段が一定期間未使用状態が継続したことを計測した場合に、少なくとも前記通信手段及び前記使用検知手段用の電源をオフ状態にせずに、その他の電源をオフ状態にすることを特徴とする。
【００１３】
このような特徴を有する請求項５に係る電子装置によれば、電子装置は、通信手段を介してホスト装置と接続される通信カラオケ装置であるので、ホスト装置から通信手段を介してカラオケ用情報が通信されるが、使用期間計測手段が未使用状態が一定期間継続したことを計測した場合に、通信手段用の電源はオフ状態にされないため、ホスト装置からカラオケ用情報を受信することができる。そして、使用期間計測手段が一定期間未使用状態が継続したことを計測した場合に、制御手段は通信手段及び前記使用検知手段用の電源以外のその他の電源をオフ状態にするので、省電力化を図ることができる。また、通信手段及び使用検知手段用の電源はオフ状態にされないため、ホスト装置から通信手段を介してカラオケ用情報を受信することができるし、また、電子装置の使用も検出できる。
【００１４】
また、請求項６に係る発明によれば、ユーザが選択した情報を出力する出力手段を少なくとも備えた電子装置において、前記電子装置が使用されているか否かを検知する使用検知手段と、前記電子装置の電源のオフ時に、前記使用検知手段が電子装置の使用を検知した場合には、前記電源をオン状態にする制御手段を備えたことを特徴とする。
【００１５】
このような特徴を有する請求項６に係る電子装置によれば、出力手段はユーザが選択した情報を出力する。そして、電子装置の電源がオフ状態にされて、省電力化された場合に、使用検知手段が電子装置のユーザの使用を検出した場合には、制御手段が前記電源をオン状態にするので、電源をオン状態にする手間を省くことができる。
【００１６】
また、請求項７に係る発明によれば、請求項１または請求項６に記載する電子装置において、前記使用検知手段は、前記情報を選択するためのリモコンから出力された信号を検出した場合に、電子装置が使用されていると検知することを特徴とする。
【００１７】
このような特徴を有する請求項７に係る電子装置によれば、リモコンからの信号を、使用検知手段が検知した場合には、電子装置のユーザの使用を検出した場合には、電子装置がオフ状態にあっても、制御手段が前記電源をオフ状態からオン状態にするので、電源をオン状態にする手間を省くことができる。
【００１８】
【発明の実施の形態】
以下、本発明に係る電子装置について、通信カラオケ装置につき具体化した実施形態に基づいて図面を参照しつつ詳細に説明する。図１は、通信カラオケ装置１を示すブロック図である。
通信カラオケ装置１は、図１に示すように、演奏データ及び歌詞データ等を含むカラオケ用情報を送信することができるホスト装置２と通信回線３を介して接続されており、ホスト装置２は新曲などのカラオケ用情報を通信回線３を介して通信カラオケ装置１へ送信することができる。
【００１９】
この場合、通信カラオケ装置１は、アンプ３０を介して楽音出力手段としてのスピーカ４と、情報表示手段としてのモニター５にそれぞれ接続されており、モニター５が歌詞情報及び背景画情報を表示する際に、スピーカ４から楽音情報を流すことができる。
通信カラオケ装置１は、内部に通信手段としての通信装置６を備え、通信装置６は前記通信回線３と接続されており、例えば通信回線３が公衆回線の場合には、通信装置６はモデム等により構成される。また、通信カラオケ装置１は、記憶装置７及び制御手段としてのＣＰＵ８（中央処理装置）を内部に備えており、ＣＰＵ８の制御の下に、通信装置６を介して定期的に新曲などのカラオケ用情報の取り込みを行い、記憶装置７は、その取り込まれたカラオケ用情報を記憶することができる。ＣＰＵ８は、入力装置９と接続されており、入力装置９を介して、パネル１０上に配置された多数のキーのタッチ操作入力信号を入力することができる。また、入力装置９は、リモコン信号受信装置１１と接続されており、リモコン信号受信装置１１は、リモコン１２から出力される例えば選曲情報としての選曲用のリモコン信号を受信することができる。
【００２０】
そのリモコン１２は、リモコン信号を無線通信用信号として出力できるリモコン信号発信装置１３を備えており、その他に、一定周期毎に識別信号を発信する識別信号発信装置１４を備えている。識別信号発信装置１４は、通信カラオケ装置１側に、リモコン１２の存在または不存在を識別させるために、識別信号を発信するものであり、通信カラオケ装置１は、その識別信号を受信する使用検知装置１５を備えている。そして、使用検知装置１５は、前記ＣＰＵ８と電気的に接続されているので、リモコン１２がユーザによってカラオケボックス内のある部屋に持ち込まれた場合には、使用検知装置１５が識別信号発信装置１４からの識別信号を受信することにより、ＣＰＵ８はリモコン１２の存在を識別することができる。
すなわち、通常この種の通信カラオケ装置１が多数設置されているカラオケボックスでは、リモコン１２やマイクロフォン（図示せず）は、通信カラオケ装置１が設置された各部屋には置いてなく、カラオケボックスのフロントで一元的に管理されている。これは、各部屋の使用時間管理と、リモコン１２やマイクロフォンの紛失防止のためにこのようなシステムが採られている。
つまり、通信カラオケ装置１を利用するためにカラオケボックスに訪れたユーザがフロントで受付を済ませると、部屋が指定されると共にその部屋で使用されるリモコン１２やマイクロフォンがそのユーザに渡され、また、通信カラオケ装置１の利用の終了して部屋を退出する時には、リモコン１２やマイクロフォンを持って出てフロントに返却するようになっている。
従って、ユーザが、リモコン１２やマイクロフォンを通信カラオケ装置１が設置された部屋に持ち込むと、通信カラオケ装置１の使用検知装置１５は、リモコン１２の識別信号発信装置１４からの識別信号を受信し、使用検知装置１５を介して、ＣＰＵ８は通信カラオケ装置１が使用状態であること検知する。反対に、ユーザが通信カラオケ装置１の利用を終え、リモコン１２を持って部屋を退出すると、使用検知装置１５はリモコン１２の識別信号発信装置１４からの識別情報を受信することができなくなる。それにより、ＣＰＵ８は、通信カラオケ装置１が使用されなくなったことを判別することができる。従って、識別信号発信装置１４及び使用検知装置１５は、通信カラオケ装置１が使用されているか否かを検知する使用検知手段として機能する。
【００２１】
通常カラオケボックスでは、通信カラオケ装置１が設置された部屋が多数存在するので、リモコン１２の識別信号発信装置１４が発信する識別信号に識別情報としての識別ＩＤを含ませておき、各部屋毎にその識別ＩＤを異ならせることが望ましい。
一方、通信カラオケ装置１の記憶装置７には、その通信カラオケ装置１が設置された部屋の識別情報としての識別ＩＤが記憶されており、ＣＰＵ８は、記憶装置７に記憶された識別ＩＤを含む識別信号を使用検知装置１５が受信していると判断したとき、通信カラオケ装置１が使用状態であることを検知する。
これにより、隣接する部屋にリモコン１２が持ち込まれたときの誤認識を防止することとができる。
【００２２】
また、リモコン１２の識別信号発信装置１４と、通信カラオケ装置１の使用検知装置１５との通信距離は、カラオケボックスの部屋の大きさにもよるが一般的には、１０メータ以下が望ましく、そのようになるように、リモコン１２の識別信号発信装置１４の出力や、通信カラオケ装置１の使用検知装置１５の受信感度が設定されている。通常カラオケボックスでは、フロントと各部屋は１０メータ以上離れており、これにより、フロントに置いてある状態のリモコン１２から出力された識別信号を受信することを防ぐことができる。
更に、リモコン１２に、識別信号発信装置１４に供給される電源をオン・オフするスイッチ手段としての電源スイッチを設け、リモコン１２がフロントに返却されたときには、この電源スイッチを切って識別信号発信装置１４から識別信号が出力されないようにしてもよい。
【００２３】
また、ＣＰＵ８は、ＢＧＭ等の音楽、音声等を発生させるための音発生装置１６と接続されており、その音発生装置１６は、アンプ３０を介してスピーカ４と接続されている。ＣＰＵ８は、モニター５の背景画に歌詞情報を表示するためのモニター制御装置１７と接続されており、モニター制御装置１７はモニター５と接続されている。
前記音発生装置１６は、記憶装置７から読み出されてＣＰＵ８から供給されるカラオケ用情報の演奏データに基づいて伴奏音を発生させ、それによりスピーカ４からは、伴奏音楽が放音される。前記演奏データは、ＭＩＤＩデータで構成されている。
前記モニター制御装置１７は、記憶装置７から読み出されてＣＰＵ８から供給されるカラオケ用情報の歌詞データに基づいて歌詞文字を生成する。また、前記モニター制御装置１７には、背景画再生装置３１から背景画となる動画が供給されており、前記生成した歌詞文字と背景画とをスーパーインポーズした上でモニタ５に出力している。
通信カラオケ装置１は、常時電源１８の他に、サブ電源１９を備えており、常時電源１８は、通信装置６、記憶装置７、ＣＰＵ８及び使用検知装置１５と接続されており、これら通信装置６、記憶装置７、ＣＰＵ８及び使用検知装置１５は、常時電源１８から電力が供給されて常時動作状態にある。従って、通信カラオケ装置１の通信機能及び使用検知機能は常時動作状態にある。
また、サブ電源１９は、入力装置９、パネル１０、リモコン信号受信装置１１、音発生装置１６、モニター制御装置１７及びＡＣ電源制御部３２と接続されている。従って、サブ電源１９は、入力装置９、パネル１０、リモコン信号受信装置１１、音発生装置１６及びモニター制御装置１７に、電力を供給して動作状態を維持できるが、これら入力装置９、パネル１０、リモコン信号受信装置１１、音発生装置１６及びモニター制御装置１７は常時動作状態にある必要はない。これは、通信カラオケ装置１が使用されない未使用状態が続き、予め設定された設定時間が超過した場合には、ＣＰＵ８がサブ電源１９をオフ状態にして、省電力化を図るためである。
また、前記ＡＣ電源制御部３２は、サブ電源１９から電力が供給されると、アンプ３０、モニター５及び背景画再生装置３１に商用電源であるところのＡＣ１００Ｖの電力を供給し、それにより、アンプ３０、モニター５及び背景画再生装置３１等の周辺機器は、動作可能な状態となる。
【００２４】
その通信カラオケ装置１の未使用状態の設定時間は、通信カラオケ装置１の管理者によるパネル１０上の管理操作（パネル１０上の特定キーを２個同時に押すことにより起動される管理モード上でパネル１０上のキーを操作して設定値を入力方法）を用いて、例えば１０分とか２０分とかあるいは１時間とか２時間とか任意に未使用状態の時間を変更設定でき、つまり、未使用期間設定手段としてのＣＰＵ８はパネル１０上の管理操作に基づく入力信号を、入力装置９を介して入力でき、記憶装置７の所定の記憶領域に記憶できる。そのため、任意に設定変更された未使用状態の設定時間が経過すると、ＣＰＵ８はサブ電源１９をオン状態からオフ状態に変化させて、使用状況に応じて、通信カラオケ装置１及び周辺機器の省電力化を図ることができる。
【００２５】
そして、パネル１０またはリモコン１２の操作によって予約されるところの予約曲が選択されていない通信カラオケ装置１のアイドリング状態の場合、通信カラオケ装置１は、次の選曲が行われるまでの間、モニター５上で新譜案内画面やニュース画面を表示するとともに、スピーカ４からＢＧＭ曲を流すＢＧＭ演奏を行う。
更に、ユーザがリモコン１２をもって退室して、通信カラオケ装置１の未使用状態の場合、使用検知装置１５がリモコン１２の識別信号発生装置１４から出力される信号を検知しなくなってから予め設定された時間を超過した場合には、ＣＰＵ８はモニター５上での画面表示を停止するとともに、スピーカ４から流れるＢＧＭ演奏を停止して、サブ電源１９をオフ状態にするが、通信機能に関連する常時電源１８はオン状態を維持するので、通信カラオケ装置１はホスト装置２から新曲などのカラオケ用情報を常時受信し、記憶することができる。
【００２６】
この実施の形態の場合、ＣＰＵ８がサブ電源１９をオン状態からオフ状態にするに際し、過去の使用状況履歴から現時刻の使用頻度が高い場合には、サブ電源１９をオフ状態にしない態様にすることができる。これは、サブ電源１９をオフ状態からオン状態へ立ち上げる際には、少々の待機時間が必要であるが、現時刻の使用頻度が高い場合は、オフ状態にしない態様にすることにより、その待機時間が無くて済み、通信カラオケ装置１の使用の利便性を向上させるためである。そのため、使用状況記憶手段としての記憶装置７には、ＣＰＵ８が過去の使用状況が把握できるように、カラオケ曲が演奏される毎に演奏時刻のデータなどが含まれる演奏実績データが記憶される。図２は、その演奏実績データに基づいて作成された通信カラオケ装置１の使用状況の概要を示す演奏実績としての演奏ログであり、演奏実績データが網掛け部分は連続して、通信カラオケ装置１が使用されていたことを表している。演奏ログは、演奏実績データが連続する場合以外に、例えば、ある演奏実績データから次の演奏実績データまでの経過時間が、例えば１０分以内である場合には、それを連続して示している。
この時、ＣＰＵ８は例えば過去２ヶ月間の演奏ログのデータを記憶装置７から読出し、過去２ヶ月間における同じ曜日の同時刻での通信カラオケ装置１の使用状況を調査し、使用頻度が高い場合には、サブ電源１９をオフ状態にしない制御を行う。
これは、カラオケボックスでは、曜日によって稼働状況が大きく異なるためであり、過去数ヶ月、例えば、過去２ヶ月の同じ曜日の演奏ログを調査することにより、通信カラオケ装置１の使用状況についてより正確な判断が可能となる。従って、例えば今日が火曜日で祭日である場合には、使用状況判断手段としてのＣＰＵ８が、過去２ヶ月の火曜日の演奏ログを調査するのではなく、過去２ヶ月の土曜日、または日曜日の演奏ログを調査するように構成してもよい。これは、祭日の通信カラオケ装置１の使用状況は、土曜日、または日曜日の使用状況に近いためである。
【００２７】
次に、図５に示すフローチャートを用いて、通信カラオケ装置１の演奏動作について説明する。
このフローチャートは、サブ電源が入っているときに、所定のインターバルで定期的に実行される。
まず、記憶装置７の予約曲記憶エリアに予約曲として選曲番号が記憶されているかどうかが判断される（Ｓ３０）。予約曲として選曲番号が記憶されている場合（Ｓ３０：ＹＥＳ）、ＣＰＵ８は予約曲の演奏をする（Ｓ３１）ので、利用者は通信カラオケ装置１を利用することができる。次に、ＣＰＵ８は予約曲の演奏が終了したか否かを判断する（Ｓ３２）。予約曲の演奏が終了した場合（Ｓ３２：ＹＥＳ）、演奏終了曲の選曲番号、演奏開始及び終了日時を記憶装置７に記憶して（Ｓ３３）、Ｓ３０に戻る。
Ｓ３０において、予約曲として選曲番号が記憶されていない場合（Ｓ３０：ＮＯ）、新譜案内やニュースなどをモニター５に表示する（Ｓ３４）。それにより、予約曲が無いアイドリング状態の場合、新譜案内やニュースなどをモニター５に表示することになる。ここで、ＣＰＵ８は曲が予約されたか否かを判断し（Ｓ３５）、曲が予約された場合（Ｓ３５：ＹＥＳ）、予約された曲の曲番号を記憶装置７に記憶する（Ｓ３６）。次に、現在通信カラオケ装置１が既に予約された曲を演奏中か否かが判断され（Ｓ３７）、演奏中でない場合（Ｓ３７：ＮＯ）、ＣＰＵ８は新譜案内やニュースなどの表示を中止して（Ｓ３８）、Ｓ３１において、予約曲の演奏を行う。Ｓ３７において演奏中の場合（Ｓ３７：ＹＥＳ）、Ｓ３２に進み、予約曲の演奏が終了したか否かを判断する。また、Ｓ３５において、曲が予約されていない場合（Ｓ３５：ＮＯ）、現在演奏中か否かが判断され（Ｓ３９）、演奏中でない場合（Ｓ３９：ＮＯ）、Ｓ３４に戻り、新譜案内やニュースなどを引き続きモニター５に表示する。Ｓ３９において演奏中の場合（Ｓ３９：ＹＥＳ）、Ｓ３２に進み、予約曲の演奏が終了したか否かを判断する。
それにより、予約曲が無いアイドリング状態の場合、新譜案内やニュースなどをモニター５に表示しながら、曲が予約されたか否かを検出し、曲が予約された場合、予約曲の演奏を行う。また、曲の演奏が終了した場合、演奏終了曲の選曲番号、演奏開始及び終了日時を記憶装置７に記憶することになるので、記憶された演奏実施データは後述する通信カラオケ装置１の使用状況の調査（図４参照）に利用することができる。
【００２８】
次に、図３のフローチャートを用いて、通信カラオケ装置１の使用状況を調査した上で、サブ電源１９のオフ状態とオン状態とを切り換える切換動作について、ＣＰＵ８の動作処理を説明する。図３は、通信カラオケ装置１のサブ電源１９のオフ状態とオン状態とを切り換える切換動作を示すフローチャートである。
まず最初に、お店の店員がパネル上の電源スイッチ（図示せず）を投入すると、常時電源１８の他に、サブ電源１９が投入され、ＣＰＵ８は内部の常時電源１８及びサブ電源１９の電源状態をオン状態に設定して両電源１８、１９をオンとする（Ｓ１）。これにより、通信装置６、記憶装置７、ＣＰＵ８及び使用検知装置１５には、常時電源１８から電力が供給されて動作状態となる。また、入力装置９、パネル１０、リモコン信号受信装置１１、音発生装置１６には、サブ電源１９から電力が供給されて動作状態となる。さらに、ＡＣ電源制御部３２にもサブ電源１９から電力が供給されるので、そのＡＣ電源制御部３２を介してモニター５、アンプ３０及び背景画再生装置３１にＡＣ１００Ｖの電力が供給されて動作状態となる。従って、通信カラオケ装置１は、周辺機器を含めて使用可能な状態となる。ＣＰＵ８は予め設定されているサブ電源１９をオフ状態にするまでの未使用期間設定値を記憶装置７から読み出し（Ｓ２）た後に、記憶装置７内の未使用期間計測用カウンタを初期値「ゼロ」にてクリア（Ｓ３）する。その後、ＣＰＵ８は通信カラオケ装置１のサブ電源１９の電源状態がオン状態か否かを検出する（Ｓ４）。
【００２９】
サブ電源１９の電源状態がオン状態の場合（Ｓ４：ＹＥＳ）、識別信号検知判別手段としてのＳ５において、ＣＰＵ８は使用検知装置１５が識別信号を受信したか否かを検出する。ユーザーがリモコン１２及びマイクロフォンを持って部屋に入ると、使用検知装置１５はリモコン１２からの識別信号を受信するので（Ｓ５：ＹＥＳ）、未使用期間計測用カウンタを初期値「ゼロ」にてクリアするために、Ｓ３に戻る。従って、使用検知装置１５がリモコン１２からの識別信号を受信している限り、サブ電源１９は、オンの状態が保たれる。
ユーザーがリモコン１２及びマイクロフォンを持って部屋を退室すると、使用検知装置１５が識別信号を受信しなくなるので、Ｓ５における判断が「ＮＯ」となり、通信カラオケ装置１が未使用状態とみなされて、Ｓ６において、使用期間計測手段としてのＣＰＵ８は未使用期間計測用カウンタをインクリメントして、未使用期間を計測する。比較手段としてのＳ７において、ＣＰＵ８は未使用期間計測用カウンタに記憶された未使用期間情報としてのカウンタ値と、Ｓ２にて取得した未使用期間設定情報としての未使用期間設定値とを比較して、未使用状態が一定期間継続したか否かを検知する。未使用状態が一定期間継続していない場合（Ｓ７：ＮＯ）、ＣＰＵ８はＳ４に戻り、再びサブ電源１９の電源状態を検出する。未使用状態が一定期間継続する場合（Ｓ７：ＹＥＳ）、過去の使用状況を調査（図４において後述）する（Ｓ８）。
【００３０】
使用頻度判断手段としてのＳ９において、記憶装置７に記憶された過去の使用状況履歴から現時刻の使用頻度が高い場合には（Ｓ９：ＹＥＳ）、前記サブ電源１９をオフ状態にしないように、Ｓ３に戻って、未使用期間計測用カウンタを初期値にてクリアする。記憶装置７に記憶された過去の使用状況履歴から現時刻の使用頻度が低い場合には、前記サブ電源１９をオフ状態に設定（Ｓ１０）して、サブ電源１９からの電力供給を切断する（Ｓ１１）。
【００３１】
Ｓ４において、サブ電源１９の電源状態がオフ状態の場合（Ｓ４：ＮＯ）、識別情報検知判断手段としてのＳ１２において、ＣＰＵ８は使用検知装置１５が識別信号を受信したか否かを検出する。使用検知装置１５の識別信号が受信しない場合（Ｓ１２：ＮＯ）、ＣＰＵ８はＳ３に戻る。利用者がリモコン１２を持って部屋に入ると、使用検知装置１５が識別信号を受信するので、Ｓ１２の判断は「ＹＥＳ」となり、サブ電源１９の電源状態をオン状態に設定して（Ｓ１３）、オフ状態のサブ電源１９をオン状態にする（Ｓ１４）。それにより、サブ電源１９がオフ状態において、使用検知装置１５がユーザの通信カラオケ装置１の使用を検出した際には、ＣＰＵ８がサブ電源１９をオン状態にするので、サブ電源１９をオン状態にする手間を省くことができる。
【００３２】
次に、図４のフローチャートを用いて、通信カラオケ装置１の過去の使用状況の調査について説明する。図４は、上述した図３に示されたフローチャートにおけるＳ８のサブルーチンであり、通信カラオケ装置１の過去の使用状況を調べる際のサブルーチンを示すフローチャートである。
ＣＰＵ８は記憶装置７に設けられた使用日数計測用カウンタをクリア（Ｓ２１）した後に、現在時刻を取得する（Ｓ２２）。演奏ログの作成手段としてのＣＰＵ８は、過去２ヶ月の演奏実績データから図２に示すような演奏ログを作成する（Ｓ２３）。具体的には、記憶装置７に記憶された演奏実績データを過去２ヶ月分読み出し、ある演奏実績データの演奏終了時間（最小時間単位は分）と次の演奏実績データの演奏開始時間（最小時間単位は分）が連続している場合や、ある演奏実績データの演奏終了時間（最小時間単位は分）から次の演奏実績データの演奏開始時間（最小時間単位は分）までの時間が１０分以内の場合には、それらの時間帯は、通信カラオケ装置１が使用されていたとする概略的な通信カラオケ装置１の使用状態を示すところの図２に示すような演奏ログを作成して記憶装置７に記憶する。これにより、選曲のためにわずかに時間が空いて演奏していなかった場合に、通信カラオケ装置１が非使用状態にあると誤って判断をすることがない。ＣＰＵ８はＳ２３にて作成した演奏ログから１週間前の同じ曜日、同時刻（例えば日曜日１２時等）の使用状況を調べ（Ｓ２４）、調査手段としてのＳ２５において、通信カラオケ装置１が使用されていたか否かを検出する。ＣＰＵ８は通信カラオケ装置１が使用されていた場合には（Ｓ２５：ＹＥＳ）、ＣＰＵ８は使用日数計測用カウンタをインクリメント（Ｓ２６）して、通信カラオケ装置１が使用されていた日数をカウンタアップする。通信カラオケ装置１が使用されていない場合には（Ｓ２５：ＮＯ）、ＣＰＵ８はＳ２７に進む。
【００３３】
ＣＰＵ８は一週間おきに２ヶ月前までの使用状況の調査が完了したか否かを検出し（Ｓ２７）、通信カラオケ装置１の使用状況の調査が完了していない場合には（Ｓ２７：ＮＯ）、Ｓ２４に戻る。通信カラオケ装置１の使用状況の調査が過去２ヶ月分完了した場合には（Ｓ２７：ＹＥＳ）、ＣＰＵ８はＳ９に進む。
具体的には、記憶装置７に記憶された演奏ログについて、図２の網掛け部分の重なる場合の日数を調べ、２ヶ月前までの同じ曜日、同時刻（例えば日曜日１２時等）の使用日数について、例えば８日の内、６日以上使用された場合は、使用頻度が高い（Ｓ９：ＹＥＳ）として、ＣＰＵ８は未使用期間計測用カウンタを初期値「ゼロ」にてクリア（Ｓ３）して、サブ電源１９をオフ状態にしないようにする。
また、２ヶ月前までの同じ曜日、同時刻（例えば日曜日１２時等）の使用日数について、例えば使用が８日の内、６日以下の場合は使用頻度が低い（Ｓ９：ＮＯ）として、ＣＰＵ８はサブ電源１９の電源状態をオフ状態に設定（Ｓ１０）して、サブ電源１９からの電力供給を切断にして（Ｓ１１）、省電力化を図る。このように過去の使用状況履歴から現時刻の使用頻度が高い場合には、電源をオフ状態にしないので、電源オフ状態から電源オン状態へ立ち上げる際の待機時間が無くて済む。
【００３４】
以上の実施の形態によれば、楽音情報を出力するスピーカ４と、楽音情報に関連する歌詞情報を表示するモニター５とを少なくとも備えた通信カラオケ装置１において、通信カラオケ装置１が使用状態にあるか否かを検知するための識別信号発信装置１４及び使用検知装置１５と、通信カラオケ装置１が使用されていない期間を計測するＣＰＵ８と、通信カラオケ装置１のサブ電源１９のオン時に、一定期間未使用状態が継続したことを計測した場合に、サブ電源１９をオフ状態にするＣＰＵ８とを備えるので、通信カラオケ装置１の省電力化を図ることができる。
この実施の形態では、使用検知装置１５が、リモコン１２の識別信号発信装置１４から発信する識別情報を受信することで通信カラオケ装置１の使用状況を検知していたが、使用検知手段としては、必ずしもリモコン１２に限定される訳ではなく、例えば温度センサ、赤外線センサなどでもって、部屋に人が入室したことを検出して通信カラオケ装置１が使用される状況になった事を検知してもよく、検知することが可能な方法であれば何でも良い。
【００３５】
また、未使用状態が継続したことを検出するまでの時間を、通信カラオケ装置１の入力装置９を介して入力する記憶装置７に記憶していたが、通信回線３を介してホスト装置２から配信して記憶装置７に格納するものであってもよい。
更に、使用検知手段としてのリモコン信号受信装置１１及び入力装置１９に対して常時電源１８から常に電力を供給して常に動作状態とし、リモコン信号受信装置１１がリモコン１２からの選択信号を受信したときに、通信カラオケ装置１が使用される状況になったと検知するようにしてもよい。この実施の形態の場合、使用感知装置１５やリモコン１２側の識別信号発生装置１４を必要とせず、構成が簡単になる。この実施の形態の場合、図３に示すフローチャートにおいて、リモコン１２からの曲選択信号をリモコン信号受信装置１１が受信しない場合、Ｓ５の判断が「ＮＯ」となり、一定時間の間、リモコン信号受信装置１１が曲選択信号を受信しないと、Ｓ７〜Ｓ１１が実行されて、サブ電源１９がオフ状態にされる。また、リモコン１２から出力された曲選択信号をリモコン信号受信装置１１を介してＣＰＵ８が検知すると、サブ電源１９は、Ｓ１２〜Ｓ１４が実行されて、電源オン状態になり、電源をオン状態にする手間を省くことができる。この実施の形態の場合、未使用時間の設定時間は、前述の実施の形態の設定時間より長く設定する必要がある。また、カラオケ装置、特に通信カラオケ装置以外の電子装置に本発明を適用しても良い。
【００３６】
【発明の効果】
以上説明した通り、請求項１に係る電子装置によれば、ユーザが選択した情報を出力する出力手段を少なくとも備えた電子装置において、前記電子装置が使用されているか否かを検知する使用検知手段と、前記使用検知手段の検知に基づき、前記電子装置が使用されていない期間を計測する使用期間計測手段と、前記電子装置の電源のオン時に、前記使用期間計測手段が一定期間未使用状態が継続したことを計測した場合に、少なくとも前記使用検知手段用の電源を除いて前記電源をオフ状態にする制御手段とを備えるので、電子装置の電源のオン時に、電子装置の未使用状態が一定期間継続した場合に、制御手段が使用検知手段用の電源を除いた電源をオフ状態にして、電子装置の省電力化を図ることができる。
【００３７】
また、請求項２に係る発明によれば、使用期間計測手段が、計測する未使用状態の期間を変更可能に設定できる未使用期間設定手段を備えたので、電子装置の使用状況に応じて、電子装置の省電力化を図ることができる。
【００３８】
また、請求項３に係る発明によれば、電子装置の使用状況を記憶する使用状況記憶手段を備え、前記制御手段は、前記使用期間計測手段が一定期間未使用状態が継続したことを計測した際に、前記使用状況記憶手段に記憶された過去の使用状況履歴から現時刻の使用頻度が高い場合には、前記電源をオフ状態にしないので、電源オフ状態から電源オン状態へ立ち上げる際の待機時間が無くて済み、電子装置の使用の利便性が向上するとともに、省電力化を図ることができる。
【００３９】
また、請求項４に係る発明によれば、前記電源のオフ時に、使用検知手段が電子装置の使用を検知した場合には、前記制御手段は前記電源をオン状態にするので、電源をオン状態にする手間を省くことができる。
【００４０】
また、請求項５に係る発明によれば、電子装置は、通信手段を介してホスト装置と接続される通信カラオケ装置であって、前記制御手段は、前記使用期間計測手段が一定期間未使用状態が継続したことを計測した場合に、少なくとも前記通信手段及び前記使用検知手段用の電源をオフ状態にせずに、その他の電源をオフ状態にするので、使用期間計測手段が未使用状態が一定期間継続したことを計測した場合に、通信手段及び前記使用検知手段用の電源はオフ状態にされないため、ホスト装置から通信手段を介してカラオケ用情報を受信することができるし、また、電子装置の使用も検出できる。
【００４１】
また、請求項６に係る発明によれば、ユーザが選択した情報を出力する出力手段を少なくとも備えた電子装置において、前記電子装置が使用されているか否かを検知する使用検知手段と、前記電子装置の電源のオフ時に、前記使用検知手段が電子装置の使用を検知した場合には、前記電源をオン状態にする制御手段を備えたので、電源をオン状態にする手間を省くことができる。
【００４２】
また、請求項７に係る発明によれば、前記使用検知手段は、リモコンから出力された信号を検出した場合に、電子装置が使用されていると検知するので、電子装置が、オフ状態にあっても、制御手段が前記電源をオフ状態からオン状態にすることができ、電源をオン状態にする手間を省くことができる。
【図面の簡単な説明】
【図１】本発明を具体化した実施の形態の通信カラオケ装置を示すブロック図である。
【図２】上記実施の形態の通信カラオケ装置にて用いる演奏ログから使用状況を説明する説明図である。
【図３】上記実施の形態の通信カラオケ装置のサブ電源のオフ状態とオン状態とを切り換える切換動作を示すフローチャートである。
【図４】上記実施の形態の通信カラオケ装置の過去の使用状況を調べる際のサブルーチンを示すフローチャートである。
【図５】上記実施の形態の通信カラオケ装置の演奏動作を示すフローチャートである。
【符号の説明】
１　　通信カラオケ装置（電子装置）
２　　ホスト装置（ホスト装置）
３　　通信回線
４　　スピーカ（出力手段）
５　　モニター（情報表示手段）
６　　通信装置（通信手段）
７　　　記憶装置（使用状況記憶手段）
８　　ＣＰＵ（制御手段、使用期間計測手段、未使用期間設定手段）
９　　入力装置
１０　　　パネル
１１　リモコン信号受信装置
１２　リモコン（使用検知手段）
１３　リモコン信号発信装置
１４　識別信号発信装置（使用検知手段）
１５　使用検知装置（使用検知手段）
１６　音発生装置
１７　モニター制御装置
１８　常時電源
１９　サブ電源
【図１】
2004029628.tif 000003
【図２】
2004029628.tif 000004
【図３】
2004029628.tif 000005
【図４】
2004029628.tif 000006
【図５】
2004029628.tif 000007